(57)【要約】【課題】  本発明は、板状のバネとコイル状のバネの弾性力を利用することにより、小さな力でも指圧できる指圧マッサージ具を提供する。【解決手段】  板状のバネ（３）とコイル状のバネ（３）の弾性力を利用することにより、小さな力でも指圧できることを特徴とする指圧マッサージ具。【選択図】図５
2010240357.tif 000002
【特許請求の範囲】
【請求項１】
（イ）グリップ（１）にヘッドパイプ（２）、板状のバネ（３）、固定パイプ（４）を取付けネジ（９）、取付けネジ（１０）、取付けネジ（１１）、取付けネジ（１２）、取付けネジ（１３）、取付けネジ（１４）、取付けネジ（１５）、取付けネジ（１６）で装着する。
（ロ）ヘッドパイプ（２）の中にコイル状のバネ（５）を挿入する。
（ハ）ヘッドパイプ（２）の中にスライドパイプ（６）を差し込む。
（ニ）ヘッドパイプ（２）とスライドパイプ（６）を連結させるためにこの締めつけナット（７）にて結合させ、抜け止め防止のために取付けネジ（１８）で装着する。
（ホ）スライドパイプ（６）に弾性ゴム（８）をはめ込んで、取付けネジ（１７）で弾性ゴム（８）を固定する。
以上のように構成された指圧マッサージ具。
【請求項２】
グリップ（１）を湾曲させることにより力を中心に集めることができることを特徴とする請求項１の指圧マッサージ具。
【請求項３】
グリップ（１）の両端に三角形の空洞を設け、握りやすくしたことを特徴とする請求項１の指圧マッサージ具。
【請求項４】
板状のバネ（３）は回転方向に対して自由に角度を変えることができることを特徴とする請求項１の指圧マッサージ具。
【請求項５】
板状のバネ（３）の先端を握って押すことによりテコの原理を利用したことを特徴とする請求項１の指圧マッサージ具。
【発明の詳細な説明】
【技術分野】
【０００１】  本発明は、板状のバネとコイル状のバネの弾性力を利用することにより、小さな力でも指圧できることを特徴とする指圧マッサージ具に関するものである。
【背景技術】
【０００２】  従来、マッサージ器具は、棒状のマッサージ器具で力の弱い女性や老人では持続して使用することが困難であった。
【先行技術文献】
【０００３】
【特許文献１】  特開２００９−０４５４００号公報
【先行文献２】
特開２００９−０２８５２０号公報
【発明の概要】
【発明が解決しようとする課題】
【０００４】  これは次のような欠点があった。
（イ）棒状、またはパイプ状のマッサージ器具では力の弱い人では困難であった。
（ロ）（イ）のやり方では、継続して使用すると逆に疲れる。
（ハ）頑固な肩こりは、プロのマッサージに頼むしかなかった。
（ニ）従来のマッサージ器具では、かなりの負担がかかっていた。
本発明は、以上のような欠点をなくするためになされたものである。
【課題を解決するための手段】
【０００５】（イ）グリップ（１）にヘッドパイプ（２）、板状のバネ（３）、固定パイプ（４）を取付けネジ（９）、取付けネジ（１０）、取付けネジ（１１）、取付けネジ（１２）、取付けネジ（１３）、取付けネジ（１４）、取付けネジ（１５）、取付けネジ（１６）で装着する。
（ロ）ヘッドパイプ（２）の中にコイル状のバネ（５）を挿入する。
（ハ）ヘッドパイプ（２）の中にスライドパイプ（６）を差し込む。
（ニ）ヘッドパイプ（２）とスライドパイプ（６）を連結させるためにこの締めつけナット（７）にて結合させ、抜け止め防止のために取付けネジ（１８）で装着する。
（ホ）スライドパイプ（６）に弾性ゴム（８）をはめ込んで、取付けネジ（１７）で弾性ゴム（８）を固定する。
本発明は、以上の構成よりなる指圧マッサージ具である。
【発明の効果】
【０００６】（イ）板状のバネとコイル状のバネの弾性力により、小さい力でも、大きな力に変えることができる。
（ロ）板状のバネは弾性力がある、しかも板状のバネの先端部を握って押すとテコの原理によりさらに弾力性が増幅する。
【図面の簡単な説明】
【０００７】
【図１】  本発明の分解斜視図である。
【図２】  本発明の分解斜視図である。
【図３】  本発明のヘッドパイプ（２）の中にコイル状のバネ（５）を挿入した説明図である。
【図４】  本発明のヘッドパイプ（２）の中にスライドパイプ（６）を差し込んだ説明図である。
【図５】  本発明のヘッドパイプ（２）とスライドパイプ（６）を連結させるためにこの締めつけナット（７）にて結合させた説明図である。
【図６】  図（ａ）は完成された本発明の正面の断面図である。図（ｂ）は完成された本発明の側面の断面図である。
【図７】  本発明の横向きの状態を示した斜視図である。
【図８】  本発明の縦向きの状態を示した斜視図である。
【図９】  本発明の使用状態を示した説明図である。
【図１０】  本発明の使用状態を示した説明図である。
【図１１】  本発明の使用状態を示した説明図である。
【発明を実施するための形態】
【０００８】  以下、本発明の実施の形態について説明する。
（イ）グリップ（１）にヘッドパイプ（２）、板状のバネ（３）、固定パイプ（４）を取付けネジ（９）、取付けネジ（１０）、取付けネジ（１１）、取付けネジ（１２）、取付けネジ（１３）、取付けネジ（１４）、取付けネジ（１５）、取付けネジ（１６）で装着する。
（ロ）ヘッドパイプ（２）の中にコイル状のバネ（５）を挿入する。
（ハ）ヘッドパイプ（２）の中にスライドパイプ（６）を差し込む。
（ニ）ヘッドパイプ（２）とスライドパイプ（６）を連結させるためにこの締めつけナット（７）にて結合させ、抜け止め防止のために取付けネジ（１８）で装着する。
（ホ）スライドパイプ（６）に弾性ゴム（８）をはめ込んで、取付けネジ（１７）で弾性ゴム（８）を固定する。
本発明は、以上の構成よりなる指圧マッサージ具である。
本発明の使い方を説明する。
（イ）両手にてグリップ（１）を握り、ツボに当て、そのまま押す方法である。
（ロ）両手にてグリップ（１）を握り、左手で板状のバネ（３）で押す。
（ハ）両手にてグリップ（１）を握り、右手で板状のバネ（３）で押す。
（ニ）頑固な肩こりは、グリップ（１）の中央部を握り、板状のバネ（３）の先端部を握り押すことにより、板状のバネ（３）とコイル状のバネ（５）の弾性力に加え、板状のバネ（３）の先端部を握って押すことによりテコの原理が作用して、よりいっそう力が発生する。
（ホ）上記の弾性力とテコの原理により弱い女性や老人、子どもでもマッサージ効果を得ることができる。
（ヘ）この板状のバネ（３）が自由に動くため、耳、目、鼻、頭、肩に接触することなく使用することができる。
【符号の説明】
【０００９】      １  グリップ
２  ヘッドパイプ
３  板状のバネ
４  固定パイプ
５  コイル状のバネ
６  スライドパイプ
７  締めつけナット
８  弾性ゴム
９  取付けネジ
１０  取付けネジ
１１  取付けネジ
１２  取付けネジ
１３  取付けネジ
１４  取付けネジ
１５  取付けネジ
１６  取付けネジ
１７  取付けネジ
１８  取付けネジ
【図１】
2010240357.tif 000003
【図２】
2010240357.tif 000004
【図３】
2010240357.tif 000005
【図４】
2010240357.tif 000006
【図５】
2010240357.tif 000007
【図６】
2010240357.tif 000008
【図７】
2010240357.tif 000009
【図８】
2010240357.tif 000010
【図９】
2010240357.tif 000011
【図１０】
2010240357.tif 000012
【図１１】
2010240357.tif 000013